(57)【要約】【課題】  食材であるマヨネーズやケチャップ等の流動体、あるいは、食材に限らずその他の流動体がボトルキャップの注出口であるノズルの外部に付着することを防ぐことで、上蓋を開閉するときに流動体が指先等に付着しなくなるようなボトルキャップで、低コストで、部品点数も少なく、シンプルな機構のボトルキャップを提供することを課題とする。【解決手段】  流動体の注出を完了するときに、ボトル６を押圧する力を緩めることでキャップ本体１内のピストン３が自動的に直線移動し、ノズル４の外部に残存する流動体をノズル４の内部に吸引する機構を備えたことを特徴とする。【選択図】  図１
2005330003.tif 000002
【特許請求の範囲】
【請求項１】
ボトル６の口部に取付けられるキャップ本体１内に配置され、ボトル６内の流動体に接する受圧面１６を有し、同じくキャップ本体１内に配置されたばね要素５によってボトル６側にばね力を受けているピストン３がボトル６内の圧力変動によって生じる、受圧面１６に作用する力の変化に応じて直線移動する機構を備えたことを特徴とするボトルキャップ。
【請求項２】
ボトル６が押圧を受けていない状態では、キャップ本体１とピストン３とボトル６とで密封状態にあるが、ボトル６を押圧してボトル６内の圧力が上昇することによって、ピストン３がノズル４側に移動し、流動体注出通路１７が形成される機構、また、ボトル６を押圧することを止め、ボトル６内の圧力が低下することによって、ピストン３がボトル６側に移動し、流動体注出通路１７が封鎖される機構を備えた請求項１記載のボトルキャップ。
【請求項３】
ボトル６を押圧することを止め、ピストン３がボトル６側に移動するときに、流動体注出通路１７が封鎖される位置から最終停止位置まで移動し、キャップ本体１とピストン３とノズル４とで形成される空間の容積が増大することによって、ノズル４の先端部に吸引力が発生し、ノズル４の外部に残存する流動体を吸引する機構を備えた請求項１および２記載のボトルキャップ。
【発明の詳細な説明】
【技術分野】
【０００１】  本発明は、食材であるマヨネーズやケチャップ等の流動体、あるいは、食材に限らずその他の流動体を収容するボトルの口部に取り付けられ、その流動体の注出口となるボトルキャップに関するものである。
【背景技術】
【０００２】  一般に、食材であるマヨネーズやケチャップ等の流動体、あるいは、食材に限らずその他の流動体は、ボトルキャップとボトルで構成される容器に収容されている場合が多く、これらの流動体を注出するときは、ボトルキャップの上蓋を開け、ボトルキャップの注出口部を下方向に向け、ボトルを押圧し、押出すようにして注出し、必要な注出量を注出したら、ボトルを押圧している力を緩め、注出が停止したのを確認して、傾けた容器を上向きにもどし、上蓋を閉じる。【０００３】  上記のような注出行為に必要なボトルキャップは、ボトルに取り付けるためのねじ部とノズル形状をした注出口部があり、そして、一体構造の上蓋で構成されている。
【発明の開示】
【発明が解決しようとする課題】
【０００４】  流動体の注出を停止したときに、ボトルキャップの注出口であるノズルの外部に流動体が付着してしまうことが多い。何度も注出を行うと、付着量が増え、上蓋を閉じたときに上蓋の外にはみ出してしまい、次に上蓋を開けるときに指先等に流動体が付着し、非常に使い辛いことになってしまうのが現状である。【０００５】  本発明は、このような点を鑑みてなされたもので、流動体の注出・停止を繰り返し行っても、ボトルキャップの注出口であるノズルの外部に流動体が付着しないようになり、上蓋の開け閉めの際に流動体で指先等が汚れることがなくなるようなボトルキャップを提供することを課題とするものである。【０００６】  また、これらの容器は、使い捨てであることや、ボトルキャップの大きさが比較的小さいことから、低コストで、部品点数も少なく、シンプルな機構であることが課題である。
【課題を解決するための手段】
【０００７】  上記課題を解決するために、本発明に係るボトルキャップは、キャップ本体１内に配置され、ボトル６内の流動体に接する受圧面１６を有し、ボトル６内の圧力変動に応じて直線移動するピストン３を配置したものである。このような機構を備える事で、従来の注出方法と同じように、ボトル６を押圧する力を強めたり、弱めたりすることで注出の開始と停止を自動的に行う事ができる。【０００８】  上記、ピストン３がボトル６内の圧力上昇を受けて、ノズル４側に移動することで、流動体注出通路１７が形成され、また、ボトル６内の圧力が低下したときは、流動体注出通路１７が封鎖される機構となっている。このような機構により、注出するときは通路が形成され、注出しないときは密封されるため、注出しないときに、容器が下向きの状態でも流動体が自然にノズル４から流出することがなくなる。【０００９】  ボトル６内の圧力が低下したときに、ピストン３がボトル６側に移動し、流動体注出通路１７が封鎖される位置まで移動し、さらに移動してストッパー部７の位置で停止する。ピストン３がこの封鎖位置から停止位置まで移動し、キャップ本体１とピストン３とノズル４とで形成される空間の容積が増大することで、ノズル４の先端部に吸引力が発生し、ノズル４の外部に残存する流動体を吸引することになる。この機構を備える事で、注出完了時にノズル４の外部に流動体が付着することがなくなる。
【発明の効果】
【００１０】  以上のように、本発明に係るボトルキャップは、ボトルを押圧する力で、キャップ本体内のピストンが移動し、流動体流出通路が形成され、流動体を注出することができる。ボトルを押圧することを止めることで、流動体の注出が停止し、ノズルの外部に残存する流動体を吸引し、さらに、ボトル内の流動体が流出しないように密封状態を保つことができる。【００１１】  注出および注出停止の度にノズルの外部に残存する流動体を吸引することで、ノズルの外部に流動体が付着することが完全になくなる。そのため、ボトルキャップの先端は常にきれいな状態が保たれる。ゆえに、手で上蓋を開閉するときに、指先に流動体が付着することがなくなるという効果がある。【００１２】  また、本発明は、低コストで、部品点数も少なく、シンプルな機構で、上記効果を実現することができるものである。
【発明を実施するための最良の形態】
【００１３】  以下、本発明の実施形態について図面に従って説明する。【００１４】  本実施形態のボトルキャップは、図１に示すように、キャップ本体１は、上蓋２と一体で構成され、ボトル６にねじ結合される。ピストン３とばね要素５はキャップ本体１内に配置され、ノズル４は、打ち込みによって、キャップ本体１と結合される。ねじ結合でも問題ない。ピストン３の外周は、キャップ本体１の内径と、非常に小さい隙間で勘合していて上下方向にしゅう動可能である。ピストン３は、ばね要素５の伸びようとする力によりキャップ本体１のストッパー部７に押し付けられ位置決めされる。ノズル４は、テーパ部８により下方に力が働き、キャップ本体１に円状接触面９が押し付けられる事で、打ち込み部分の密封が保たれることになる。バネ要素５は、樹脂製のジャバラ形状のものが好ましいが、コイル形状のものでも構わない。【００１５】  ピストン３の形状を図２に示す。ピストン３は中空の円筒形状を成しており、上面に円状貫通穴１０が開いていて、外周は、４箇所の貫通溝１１ａ，１１ｂ，１１ｃ，１１ｄが開いている。【００１６】  キャップ本体１の断面形状を図３に示す。上蓋２は図示しない。ピストン３のしゅう動部であるキャップ本体１の内周面には、１本の円周溝１２と４箇所の上下方向の切欠き溝１３ａ，１３ｂ，１３ｃ，１３ｄが形成されている。また、上部内面には、ノズル４の打ち込み通過用テーパ１４と打ち込み固定用テーパ１５が形成されている。【００１７】  本実施形態におけるボトルキャップは以上の構成からなり、次にそのボトルキャップを使用した場合の動作について説明する。【００１８】  上蓋を開け、下に向けた状態を図４に示す。以下、同様に上蓋２は図示しない。この状態では、ボトル６内の流動体は、キャップ本体１とピストン３とで遮断され、自然に外部に流出することはない。【００１９】  次に、ボトル６を押圧した状態を図５に示す。ボトル６を押圧することでボトル６内の圧力が上昇し、ピストン３のボトル側の受圧面１６に作用した内圧力がばね要素５のばね力より大きくなった時点でピストン３が下降し、キャップ本体１内面の切欠き溝１３ａ〜１３ｄを通過することで、流動体注出通路１７が形成される。この流動体注出通路１７を流動体が通過して、ノズル４まで達し、さらに、外部へ注出されることになる。【００２０】  注出を止めるためにボトル６を押圧する力を緩めることで、ボトル６内の圧力が低下し、ピストン３のボトル側の受圧面１６に作用した内圧力がばね要素５のばね力より小さくなった時点でピストン３が上昇し始める。【００２１】  ピストン３が少し上昇した途中の状態を図６に示す。この段階で、図５で示した流動体注出通路１７が封鎖され、ボトル６内の流動体は、キャップ本体１とピストン３とで遮断されることになる。【００２２】  さらに、ピストン３はばね力によりストローク１８だけ上昇し、ストッパー部７に接触し、停止することになり、図１と同じ状態になる。【００２３】  ピストン３がストローク１８の距離を上昇することで、キャップ本体１とピストン３とノズル４とで形成される空間の容積が増加することになる。そのときの容積増加量は、ストローク１８とピストン３の受圧面１６の面��との積で求められる容積である。この容積増加は、ノズル４の先端部に吸引力を発生させ、ノズル４の外部に残存する流動体をノズル４の内部に吸引することになる。この結果、注出完了時にノズル４の外部に流動体が付着しないことになる。【００２４】  さらに、この状態は、ボトル６内が、キャップ本体１とピストン３とで密封されているため、流動体が自然に外部に流出することはない。あとは、上向きに戻し、図１に示す上蓋２を閉めて完了である。
【図面の簡単な説明】
【００２５】
【図１】容器に取付けた状態のボトルキャップ断面図
【図２】ピストンの外観図および縦（Ａ−Ａ）断面図
【図３】キャップ本体の縦断面図および横（Ｂ−Ｂ）断面図
【図４】下向き状態での未注出時のボトルキャップ断面図
【図５】下向き状態での注出時のボトルキャップ断面図
【図６】下向き状態での注出完了時のボトルキャップ断面図
【符号の説明】
【００２６】                １…キャップ本体          ，      ２…上蓋
３…ピストン              ，      ４…ノズル
５…ばね要素              ，      ６…ボトル
７…ストッパー部          ，      ８…テーパ部
９…円状接触面            ，    １０…円状貫通穴
１１ａ〜１１ｄ…貫通溝                ，    １２…円周溝
１３ａ〜１３ｄ…切欠き溝              ，    １４…打ち込み通過用テーパ
１５…打ち込み固定用テーパ  ，    １６…受圧面
１７…流動体注出通路        ，    １８…ストローク
【図１】
2005330003.tif 000003
【図２】
2005330003.tif 000004
【図３】
2005330003.tif 000005
【図４】
2005330003.tif 000006
【図５】
2005330003.tif 000007
【図６】
2005330003.tif 000008